(57)【要約】【課題】内容物の個別的な取り出しを可能とするパレット型容器を提案する。【解決手段】本発明は、内容物を収納する複数の区画凹所を備えたパレット型容器において、該容器を、前記区画凹所を環状に配列した環状収納部とこの環状収納部によって取り囲まれた中央収納部とを有する容器本体と、該環状収納部に回動可能に被さり区画凹所の少なくとも１つを露出させる窓孔を有する環状カバー体と、この環状カバー体に揺動可能に支持され中央収納部及び窓孔を同時に開閉する蓋体とによって構成する。【選択図】　　　　図１
2004001832.tif 000002
【特許請求の範囲】
【請求項１】
内容物を収納する複数の区画凹所を備えたパレット型容器であって、
前記区画凹所を環状に配列した環状収納部とこの環状収納部によって取り囲まれた中央収納部とを有する容器本体と、該環状収納部に回動可能に被さり区画凹所の少なくとも１つを露出させる窓孔を有する環状カバー体と、この環状カバー体に揺動可能に支持され中央収納部及び窓孔を同時に開閉する蓋体とからなることを特徴とするパレット型容器。
【請求項２】
前記容器本体および環状カバー体に、環状カバー体の回動に際してその窓孔を各区画凹所のそれぞれに個別的に相対させる位置決め用の係合リブを設けた請求項１記載の容器。
【請求項３】
環状収納部の区画凹所は内容物を収納する収納空間を形成するものであり、中央収納部は内容物を取り出す器具を収納する収納空間を形成するものである請求項１又は２記載の容器。
【請求項４】
蓋体及び環状カバー体は透明又は半透明の部材からなる請求項１〜３の何れかに記載の容器。
【発明の詳細な説明】
【０００１】
【発明の属する技術分野】
本発明は固形又は半固形状の化粧料、例えば口紅や頬紅、ファンデーション等を収納するのに好適なパレット型容器に関し、該容器内に収納された内容物の個別的な取り出しを可能にしようとするものである。
【０００２】
【従来の技術】
色彩や用途の異なる数種類の内容物を個別的に収納する複数の区画凹所を備えたパレット型の容器は、それぞれの内容物を適量取り出すブラシやパフ等の器具ととも格納する蓋付き構造のものが広く使用されている。
【０００３】
ところで、かかるパレット型の容器は、蓋を開放すると内容物のすべてが外部に露出するため塵等の付着が避けられずその解決が求められている。
【０００４】
【発明が解決しようとする課題】
本発明の課題は、目的とする内容物のみを個別的に取り出すことができる新規なパレット型容器を提案するところにある。
【０００５】
【課題を解決するための手段】
本発明は、内容物を収納する複数の区画凹所を備えたパレット型容器であって、
前記区画凹所を環状に配列した環状収納部とこの環状収納部によって取り囲まれた中央収納部とを有する容器本体と、該環状収納部に回動可能に被さり区画凹所の少なくとも１つを露出させる窓孔を有する環状カバー体と、この環状カバー体に揺動可能に支持され中央収納部及び窓孔を同時に開閉する蓋体とからなるパレット型容器である。
【０００６】
上記の構成になる容器において、容器本体および環状カバー体には、環状カバー体の回動に際してその窓孔を各区画凹所のそれぞれに個別的に相対させる位置決め用の係合リブを設けることができる。
【０００７】
環状収納部の区画凹所は内容物を収納する収納空間を形成するものとし、中央収納部は内容物を取り出す器具を収納する収納空間を形成するものとするのが好ましい。
【０００８】
蓋体及び環状カバー体は内容物の迅速な取り出しを可能とするために透明又は半透明の部材にて構成するのがよい。
【０００９】
【発明の実施の形態】
以下、図面を参照して本発明をより具体的に説明する。
【００１０】
図１は本発明に従うパレット型容器の分解状態を示した図であり、図２は図１に示した容器の組み込み状態における外観斜視図（蓋は開放してある）である。
【００１１】
図１及び図２において１は容器本体である。この容器本体１は区画凹所１ａ〜１ｈを環状に配列した環状収納部Ａとこの環状収納部Ａによって取り囲まれた中央収納部Ｂが設けられている。
【００１２】
また、２は環状収納部Ａに回動可能に被さる環状カバー体であり、この環状カバー体２は区画凹所１ａ〜１ｈの少なくとも１つを露出させる窓孔２ａと中央収納部Ｂを容器本体１と協働して形成する中央開口２ｂを有している。
【００１３】
３は環状収納部Ａの内壁面に各区画凹所１ａ〜１ｈに対応して設けられた縦リブ、４は環状カバー体２に枢軸等を介して揺動可能に支持され中央収納部Ｂ及び窓孔２ａを同時に開閉する蓋体、５は環状カバー体２の内側壁面に設けられた縦リブ、６は中央収納部Ｂに配置されたブラシ、７は蓋体４の裏面に配置した鏡である。
【００１４】
本発明に従うパレット型容器は、蓋体４を開放しても窓孔２ａに対応する区画凹所に収納した内容物が露出するのみで他の区画凹所に収納した内容物は環状カバー体２によって覆われているため塵が付着するようなことはない。
【００１５】
かかる容器において容器本体１を一方の手で把持し、環状カバー体２をもう一方の手で把持して該環状カバー体２を容器本体１の周りに回動させる（環状カバー体２を固定して容器本体１を回動させてもよい）ことで他の区画凹所に収納した内容物の取り出しが可能になる。
【００１６】
容器本体１に設けた縦リブ３と環状カバー体２に設けた縦リブ５は環状カバー体２を回動させる際に、各区画凹所のそれぞれにつき個別的に窓孔２ａに相対させる位置決め用の係合リブを形成するためのものであって、これによって簡単で正確な位置合わせが可能になる。
【００１７】
容器本体１の平面とその側面における断面を図３（ａ）（ｂ）に、環状カバー体２の平面とその側面における断面を図４（ａ）（ｂ）に、また、容器本体１に環状カバー体２を組み合わせた状態における断面を図５に、蓋体４の平面および側面を図６に、さらに縦リブ３と縦リブ５の係合状態を図７にそれぞれ示す。
【００１８】
本発明に従うパレット型容器は、合成樹脂の射出成形品を適用できるものであるが、容器を構成する部材の材質についてはとくに限定されない。
【００１９】
【発明の効果】
本発明によれば、容器内に複数種類の内容物が収納されていても内容物の個別的な取り出しが可能であるため他の内容物への塵等の付着が回避される。
【図面の簡単な説明】
【図１】本発明に従うパレット型容器の構成説明図である。
【図２】図１に示した容器の組み立て状態における外観斜視図である。
【図３】（ａ）（ｂ）は容器本体の平面および断面を示した図である。
【図４】（ａ）（ｂ）は環状カバー体の平面および断面を示した図である。
【図５】容器本体に環状カバー体を組み付けた状態の断面を示した図である。
【図６】（ａ）（ｂ）は蓋体の平面および側面を示した図である。
【図７】容器本体に設けた縦リブと環状カバー体に設けた縦リブの係合状態を示した図である。
【符号の説明】
１　容器本体
１ａ〜１ｈ　区画凹所
２　環状カバー体
２ａ　窓孔
３　縦リブ
４　蓋体
５　縦リブ
６　ブラシ
７　鏡
Ａ　環状収納部
Ｂ　中央収納部
【図１】
2004001832.tif 000003
【図２】
2004001832.tif 000004
【図３】
2004001832.tif 000005
【図４】
2004001832.tif 000006
【図５】
2004001832.tif 000007
【図６】
2004001832.tif 000008
【図７】
2004001832.tif 000009